(57)【要約】【課題】近距離撮影時に発光部の光軸を撮影光軸に向けることが可能な閃光装置において、レンズの焦点距離により最短撮影距離が長くなることを防止する。【解決手段】撮影レンズを介して被写体を撮影するカメラに使用される閃光装置であって、発光光軸を撮影レンズの撮影光軸に向けることが可能な発光部１１と、撮影レンズの焦点距離に応じて発光部の光照射角を変更する照射角変更部９と、発光部の発光光軸が撮影光軸に向けられたか否かを検出する検出部８と、検出部により発光部の発光光軸が撮影光軸に向けられたことが検出された場合に、発光部の光照射角を所定の広角側に設定するように照射角変更部９を制御する制御部５とを具備する。【選択図】      図１
2005234013.tif 000002
【特許請求の範囲】
【請求項１】
撮影レンズを介して被写体を撮影するカメラに使用される閃光装置であって、
発光光軸を前記撮影レンズの撮影光軸に向けることが可能な発光部と、
前記撮影レンズの焦点距離に応じて前記発光部の光照射角を変更する照射角変更手段と、
前記発光部の発光光軸が撮影光軸に向けられたか否かを検出する検出手段と、
前記検出手段により前記発光部の発光光軸が撮影光軸に向けられたことが検出された場合に、前記発光部の光照射角を所定の広角側に設定するように前記照射角変更手段を制御する制御手段と、
を具備することを特徴とする閃光装置。
【請求項２】
前記所定の広角側とは、前記照射角変更手段が設定可能な最広角側であることを特徴とする請求項１に記載の閃光装置。
【請求項３】
被写体像を撮影するための撮影レンズと、全自動モードを含む少なくとも２つの撮影モードから１つの撮影モードを選択する選択手段とを備えるカメラと、
発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置と、
前記カメラ及び閃光装置の少なくとも一方に配置され、前記選択手段により全自動モードが選択され、且つ前記検出手段により前記発光部の発光光軸が撮影光軸に向けられたことが検出された場合に、前記発光部の光照射角を所定の広角側に設定するように前記照射角変更手段を制御する制御手段と、
を具備することを特徴とする閃光撮影システム。
【請求項４】
前記所定の広角側とは、前記照射角変更手段が設定可能な最広角側であることを特徴とする請求項３に記載の閃光撮影システム。
【請求項５】
被写体像を撮影するための撮影レンズと、接写モードを含む少なくとも２つの撮影モードから１つの撮影モードを選択する選択手段とを備えるカメラと、
発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置と、
前記カメラ及び閃光装置の少なくとも一方に配置され、前記選択手段により接写モードが選択され、且つ前記検出手段により前記発光部の発光光軸が撮影光軸に向けられたことが検出された場合に、前記発光部の光照射角を所定の広角側に設定するように前記照射角変更手段を制御する制御手段と、
を具備することを特徴とする閃光撮影システム。
【請求項６】
前記所定の広角側とは、前記照射角変更手段が設定可能な最広角側であることを特徴とする請求項５に記載の閃光撮影システム。
【請求項７】
被写体像を撮影するための撮影レンズと、全自動モードと接写モードとを含む少なくとも２つの撮影モードから１つの撮影モードを選択する選択手段とを備えるカメラと、
発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置と、
前記カメラ及び閃光装置の少なくとも一方に配置され、前記選択手段により全自動モード又は接写モードが選択され、且つ前記検出手段により前記発光部の発光光軸が撮影光軸に向けられたことが検出された場合に、前記発光部の光照射角を所定の広角側に設定するように前記照射角変更手段を制御する制御手段と、
を具備することを特徴とする閃光撮影システム。
【請求項８】
前記所定の広角側とは、前記照射角変更手段が設定可能な最広角側であることを特徴とする請求項７に記載の閃光撮影システム。
【請求項９】
被写体像を撮影するための撮影レンズと、全自動モードを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置とを具備する閃光撮影システムを制御するための方法であって、
前記選択手段により全自動モードが選択され、且つ前記検出手段により前記発光部の発光光軸が撮影光軸に向けられたことが検出された場合に、前記発光部の光照射角を所定の広角側に設定するように前記照射角変更手段を制御する工程を有することを特徴とする閃光撮影システムの制御方法。
【請求項１０】
被写体像を撮影するための撮影レンズと、接写モードを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置とを具備する閃光撮影システムを制御するための方法であって、
前記選択手段により接写モードが選択され、且つ前記検出手段により前記発光部の発光光軸が撮影光軸に向けられたことが検出された場合に、前記発光部の光照射角を所定の広角側に設定するように前記照射角変更手段を制御する工程を有することを特徴とする閃光撮影システムの制御方法。
【請求項１１】
被写体像を撮影するための撮影レンズと、全自動モードと接写モードとを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置とを具備する閃光撮影システムを制御するための方法であって、
前記選択手段により全自動モード又は接写モードが選択され、且つ前記検出手段により前記発光部の発光光軸が撮影光軸に向けられたことが検出された場合に、前記発光部の光照射角を所定の広角側に設定するように前記照射角変更手段を制御する工程を有することを特徴とする閃光撮影システムの制御方法。
【請求項１２】
請求項９乃至１１のいずれか１項に記載の制御方法をコンピュータに実行させることを特徴とするプログラム。
【請求項１３】
請求項１２に記載のプログラムをコンピュータ読み取り可能に記憶したことを特徴とする記憶媒体。
【発明の詳細な説明】
【技術分野】
【０００１】
本発明は発光部の照射光軸を撮影光軸に向ける機構を有する閃光装置を用いて近接撮影を行なう技術に関するものである。
【背景技術】
【０００２】
現在、撮影レンズの焦点距離に対応して発光部の照射角を自動的に変更するズーム機構を有する閃光装置において、発光部の光軸を撮影光軸に向ける機構が設けられているものがある。例えば、閃光装置が撮影光軸の上側に配置されていれば、発光部の光軸を撮影光軸に対して下向きにする。発光部の光軸を撮影光軸に向ける理由は特開平８−７６２０１号公報に記載されているのと同様で近距離撮影を可能にするためである。
【特許文献１】特開平８−７６２０１号公報
【特許文献２】特開平９−１５６９１号公報
【特許文献３】特公平２−１６８９７号公報
【発明の開示】
【発明が解決しようとする課題】
【０００３】
しかしながら、例えば焦点距離が５０ｍｍの撮影レンズを用いた時と２８ｍｍの撮影レンズを用いた時では、閃光装置の光軸を撮影光軸に向けるため下向きにした時に閃光装置の照射角がレンズの画角をカバーできる最短距離が異なり、５０ｍｍレンズを用いた時のほうが撮影できる最短距離（閃光装置の照射角がレンズの画角をカバーできる最短距離）が長くなるという問題点があった。
【０００４】
なお、特開平９−１５６９１号公報にはレンズの焦点距離に応じて照射角を変更する閃光装置において、近接撮影の際に発光部前面にパネルを引き出し発光部前面に配置する方法が示されている。この時、照射角を所定のワイド側にする技術が開示されている。しかしながら、この技術は発光部そのものを下向きにする技術ではない。
【０００５】
さらに、特公平２−１６８９７号公報にはレンズの焦点距離に応じて照射角を変更する閃光装置において、バウンス撮影即ち発光部を上に向けた時に照射角を所定の広角側にする技術が開示されている。この技術もやはり発光部そのものを下向きにする技術ではない。
【０００６】
従って、本発明は上述した課題に鑑みてなされたものであり、その目的は、近距離撮影時に発光部の光軸を撮影光軸に向けることが可能な閃光装置において、レンズの焦点距離により最短撮影距離が長くなることを防止することである。
【課題を解決するための手段】
【０００７】
上述した課題を解決し、目的を達成するために、本発明に係わる閃光装置は、撮影レンズを介して被写体を撮影するカメラに使用される閃光装置であって、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段と、前記検出手段により前記発光部の発光光軸が撮影光軸に向けられたことが検出された場合に、前記発光部の光照射角を所定の広角側に設定するように前記照射角変更手段を制御する制御手段と、を具備することを特徴とする。
【０００８】
また、この発明に係わる閃光装置において、前記所定の広角側とは、前記照射角変更手段が設定可能な最広角側であることを特徴とする。
【０００９】
また、本発明に係わる閃光撮影システムは、被写体像を撮影するための撮影レンズと、全自動モードを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置と、前記カメラ及び閃光装置の少なくとも一方に配置され、前記選択手段により全自動モードが選択され、且つ前記検出手段により前記発光部の発光光軸が撮影光軸に向けられたことが検出された場合に、前記発光部の光照射角を所定の広角側に設定するように前記照射角変更手段を制御する制御手段と、を具備することを特徴とする。
【００１０】
また、この発明に係わる閃光撮影システムにおいて、前記所定の広角側とは、前記照射角変更手段が設定可能な最広角側であることを特徴とする。
【００１１】
また、本発明に係わる閃光撮影システムは、被写体像を撮影するための撮影レンズと、接写モードを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置と、前記カメラ及び閃光装置の少なくとも一方に配置され、前記選択手段により接写モードが選択され、且つ前記検出手段により前記発光部の発光光軸が撮影光軸に向けられたことが検出された場合に、前記発光部の光照射角を所定の広角側に設定するように前記照射角変更手段を制御する制御手段と、を具備することを特徴とする。
【００１２】
また、この発明に係わる閃光撮影システムにおいて、前記所定の広角側とは、前記照射角変更手段が設定可能な最広角側であることを特徴とする。
【００１３】
また、本発明に係わる閃光撮影システムは、被写体像を撮影するための撮影レンズと、全自動モードと接写モードとを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置と、前記カメラ及び閃光装置の少なくとも一方に配置され、前記選択手段により全自動モード又は接写モードが選択され、且つ前記検出手段により前記発光部の発光光軸が撮影光軸に向けられたことが検出された場合に、前記発光部の光照射角を所定の広角側に設定するように前記照射角変更手段を制御する制御手段と、を具備することを特徴とする。
【００１４】
また、この発明に係わる閃光撮影システムにおいて、前記所定の広角側とは、前記照射角変更手段が設定可能な最広角側であることを特徴とする。
【００１５】
また、本発明に係わる閃光撮影システムの制御方法は、被写体像を撮影するための撮影レンズと、全自動モードを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置とを具備する閃光撮影システムを制御するための方法であって、前記選択手段により全自動モードが選択され、且つ前記検出手段により前記発光部の発光光軸が撮影光軸に向けられたことが検出された場合に、前記発光部の光照射角を所定の広角側に設定するように前記照射角変更手段を制御する工程を有することを特徴とする。
【００１６】
また、本発明に係わる閃光撮影システムの制御方法は、被写体像を撮影するための撮影レンズと、接写モードを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置とを具備する閃光撮影システムを制御するための方法であって、前記選択手段により接写モードが選択され、且つ前記検出手段により前記発光部の発光光軸が撮影光軸に向けられたことが検出された場合に、前記発光部の光照射角を所定の広角側に設定するように前記照射角変更手段を制御する工程を有することを特徴とする。
【００１７】
また、本発明に係わる閃光撮影システムの制御方法は、被写体像を撮影するための撮影レンズと、全自動モードと接写モードとを含む少なくとも２つの撮影モードから１つの撮影モードを選択する選択手段とを備えるカメラと、発光光軸を前記撮影レンズの撮影光軸に向けることが可能な発光部と、前記撮影レンズの焦点距離に応じて前記発光部の光照射角を変更する照射角変更手段と、前記発光部の発光光軸が撮影光軸に向けられたか否かを検出する検出手段とを備える閃光装置とを具備する閃光撮影システムを制御するための方法であって、前記選択手段により全自動モード又は接写モードが選択され、且つ前記検出手段により前記発光部の発光光軸が撮影光軸に向けられたことが検出された場合に、前記発光部の光照射角を所定の広角側に設定するように前記照射角変更手段を制御する工程を有することを特徴とする。
【００１８】
また、本発明に係わるプログラムは、上記の制御方法をコンピュータに実行させることを特徴とする。
【００１９】
また、本発明に係わる記憶媒体は、上記のプログラムをコンピュータ読み取り可能に記憶したことを特徴とする。
【発明の効果】
【００２０】
本発明によれば、近距離撮影時に発光部の光軸を撮影光軸に向けることが可能な閃光装置において、レンズの焦点距離により最短撮影距離が長くなることを防止することが可能となる。
【発明を実施するための最良の形態】
【００２１】
以下、本発明の好適な一実施形態について、図面を参照して詳細に説明する。
【００２２】
図１は、本発明の一実施形態の閃光撮影システムの構成を示す図である。図１において、点線より上の部分が閃光装置（フラッシュ装置）を示しており、点線より下の部分が閃光装置に接続されるカメラを示している。
【００２３】
まず、点線より上の閃光装置について説明する。
【００２４】
図１において、１は電源電池である。２は電源スイッチであり、一端は電源電池１のプラス極に、他端は後述の昇圧回路３及びＤＣ／ＤＣコンバータ４の各入力端子にそれぞれ接続されている。３は、入力端子が電源スイッチ２に、出力端子が後述のメインコンデンサ１３のプラス極に接続された昇圧回路であり、メインコンデンサ１３を高圧に充電する。４はＤＣ／ＤＣコンバータであり、入力端子が電源スイッチ２の一端に、出力端子が後述のマイクロコンピュータ（以下マイコンと略す）５の端子ＶＤＤにそれぞれ接続され、マイコン５あるいは後述の照射角可変部９等への給電を行なう。５はマイコンであり、電源端子ＶＤＤがＤＣ／ＤＣコンバータ４の出力端子に、ＧＮＤ端子が電源電池１のマイナス極にそれぞれ接続されている。また、ポート群ＦＬ１が、端子群ＦＬＴ及びカメラの端子群ＬＣＴを介して後述のカメラのマイコン３０のポート群ＣＬ１に接続され、マイコン５とマイコン３０との間で通信を可能とする。
【００２５】
６は抵抗であり、一端がマイコン５のポートＰ１に、他端が後述の表示用ＬＥＤ７にそれぞれ接続されている。７はメインコンデンサ１３の充電が完了した時に点灯するＬＥＤであり、アノードが抵抗６の一端に、カソードが電源電池１のマイナス極にそれぞれ接続されている。８は図２Ａ、Ｂに示す発光部１００の下向きを検出するスイッチであり、一端はマイコン５のポートＰ２に他端は電源電池１のマイナス極に接続されている。スイッチ８は図２Ａに示すように発光部が通常方向に向いているときはオフ状態であり、図２Ｂに示す様に下方向に向いているときはオン状態となるように構成されている。
【００２６】
９は後述の閃光放電管１１からの照射角を変更する公知の照射角変更部で、ポート群ＦＬ２に接続されている。
【００２７】
本実施形態では、カメラに１３５フィルムを使用した時の照射角の可変範囲は２４ｍｍレンズの画角をカバーする範囲から１３５ｍｍレンズの画角をカバーする範囲までである。一般にレンズの焦点距離が長い程閃光装置のガイドナンバー（閃光放電管１１の発光量）は大きくなり、従って１３５ｍｍレンズの画角をカバーするときの方が２４ｍｍレンズの画角をカバーするときよりもガイドナンバーは大きい。
【００２８】
１０は、入力端子が閃光装置の端子ＸＦＴ及びカメラの端子ＸＣＴを介してカメラのマイコン３０のポートＰ３に、出力端子が閃光放電管１１のトリガ電極にそれぞれ接続されている公知のトリガ回路である。トリガ回路１０は入力がハイレベルになると、即ちカメラのマイコン３０のポートＰ３がハイレベルとなると、閃光放電管１１のトリガ電極に高周波高電圧を印加し、閃光放電管１１は発光を開始する。１１は閃光放電管であり、アノードはメインコンデンサ１３のプラス電極に、カソードは後述の放電電流制御回路１２に、トリガ電極はトリガ回路１０にそれぞれ接続されている。
【００２９】
１２は公知の放電電流制御回路で、一端は閃光放電管１１のカソードに、他端はメインコンデンサ１３のマイナス極に、入力端子ＳＩは端子ＴＦＴにそれぞれ接続されている。放電電流制御回路１２は入力がハイレベルになると導通し、ローレベルになると遮断状態になる。１３はメインコンデンサであり、プラス極は閃光放電管１１のアノード、マイナス極は電源電池１のマイナス極にそれぞれ接続されている。１４は抵抗であり、一端はメインコンデンサ１３のプラス極に、他端は後述の抵抗１５にそれぞれ接続されている。１５は抵抗であり、一端は抵抗１４の一端に、他端はメインコンデンサ１３のマイナス極にそれぞれ接続されている。抵抗１４と抵抗１５の接続点はマイコン５のポートＰ３に接続されている。
【００３０】
次に図１の点線より下部のカメラについて説明する。
【００３１】
３０はマイコンであり、複数のポート群と複数のポートを有している。
【００３２】
３１はモード設定部であり、複数のラインを介してマイコン３０の端子群ＣＬ２に接続されている。３２は測光部であり、複数のラインを介してマイコン３０の端子群ＣＬ３に接続されている。３３は絞り制御部であり、複数のラインを介してマイコン３０の端子群ＣＬ４に接続されている。３４はシャッタ制御部であり、複数のラインを介してマイコン３０の端子群ＣＬ５に接続されている。３５は表示部であり、複数のラインを介してマイコン３０の端子群ＣＬ６に接続されている。３６はレンズであり、複数のラインを介して端子群ＣＬ７に接続されている。３７はカメラのシャッタボタンの半押し状態においてオンとなるスイッチであり、一端がマイコン３０のポートＰ１に、他端がグランド端子に接続されている。３８はカメラのシャッタボタンの全押し状態でオンとなるスイッチであり、一端がマイコン３０のポートＰ２に接続され、他端がグランドに接続されている。３９は調光回路であり、複数のラインを介して端子群ＣＬ８に接続されている。また、調光回路３９の出力端子は端子ＴＣＴ及び閃光装置の端子ＴＦＴを介して放電電流制御回路１２の制御端子ＳＩに接続されている。
【００３３】
図２Ａ、図２Ｂはカメラの上部に固定される閃光装置の断面図である。
【００３４】
図２Ａ及び図２Ｂにおいて、１００は発光部であり手動で図２Ａの通常位置、即ち不図示のカメラの撮影光軸と発光光軸(点線Ａ)が平行である位置から、発光光軸Ａを撮影光軸に向けるために図２Ｂの発光光軸Ａが下向きの位置に回転可能である。下向きの角度は一般に１０°以下であり、本実施形態では７°に設定されている。１０１はフレネルレンズであり、後述の反射笠１０２と閃光放電管１１とで構成される発光部ユニットとの間の距離を変更することにより照射角（図２Ａの照射角αから図２Ｂの照射角β）を変えることが可能である（ズーム動作）。このズーム動作は照射角制御部９によって行う。フレネルレンズ１０１と発光部ユニットとの距離が近いほど照射角は広くなる。１０２は反射笠であり閃光放電管１１からの閃光を反射し前方に照射する役目をしている。１１は図１に示した閃光放電管である。８は図１に示したスイッチであり接片８−ａと接片８−ｂを有している。１０３はピンであり、発光部１００が通常位置では図２Ａのように接片８−ａにより押し上げられており、スイッチ８はオフとなっている。また、発光部が下向きにされると図２Ｂのように接片８−ａが押し下げられ接片８−ｂと接触しスイッチ８はオンとなる。不図示の発光部の上下回転機構に不図示のクリックが設けられており、発光部を下向きにした時に切片８−ａのバネ力で発光部が戻らない様に構成されている。
【００３５】
まず閃光装置の発光動作について述べる。
【００３６】
電源スイッチ２をオンすると、昇圧回路３が動作すると共にＤＣ／ＤＣコンバータ４が作動し、マイコン５及び照射角制御部９等を給電する。メインコンデンサ１３が充電され充電電圧が上昇し、抵抗１４及び１５の接続点の電圧も上昇しマイコン５のポートＰ３が所定値に達すると、即ちメインコンデンサ１３の電圧が所定値に達するとポートＰ１がハイレベルとなりＬＥＤ７が点灯する。メインコンデンサ１３の所定電圧は一般には充電完了レベルとよばれる。これはメインコンデンサ１３が閃光放電管１１の発光に適した値に充電されたことを意味する。カメラからのメインコンデンサ１３の充電状態信号要求があればその要求に従って充電完了信号あるいは充電未完了信号をカメラに送信する。メインコンデンサ１３が充電完了レベルに達した後、トリガ回路１０にカメラからの発光信号をＸＦＴを介して入力すると共に放電電流制御回路１２の入力ＳＩにカメラより端子ＴＦＴを介してハイレベル信号を入力すると、トリガ回路１０は作動し、放電管１１は発光を開始する。その後調光回路３９により被写体からの閃光の反射光が所定値に達すると、調光回路３９の出力はローレベルとなり放電電流制御回路１２の入力ＳＩがローレベルとなり閃光放電管１１の発光は停止する。
【００３７】
次に図３に示すフローチャートに従って閃光装置の動作を詳述する。
【００３８】
ステップＳ１０１：ストロボの電源をオンした時の状態でポートＰ１はローレベルにセットされる。
【００３９】
ステップＳ１０２：カメラに対して設定されている撮影モードを要求する。
【００４０】
ステップＳ１０３：カメラからの撮影モードを受信し記憶する。
【００４１】
ステップＳ１０４：カメラのモードが全自動であるか否かを判断し、全自動モードであるときはステップＳ１０５に進み、それ以外の絞り優先モードあるいはシャッタスピード優先モードのときはステップＳ１１３に進む。
【００４２】
ステップＳ１０５：カメラにレンズの焦点距離を要求する。
【００４３】
ステップＳ１０６：カメラからのレンズの焦点距離（ｆｍｍ）を受信し、その結果を記憶する。
【００４４】
ステップＳ１０７：スイッチ８がオフ即ち発光部が通常の方向を向いているかを判断し通常の方向を向いている時はステップＳ１０８に進み、発光部が下向きの時即ちスイッチ８がオンの時はステップＳ１１５に進む。
【００４５】
ステップＳ１０８：照射角制御部９により照射角を前記記憶した焦点距離ｆｍｍレンズに対応するように図２のフレネルレンズ１０１と発光部ユニットとの間隔を制御する。
【００４６】
ステップＳ１０９：メインコンデンサ１３の充電が完了しているかを判断し、充電が完了していればステップＳ１１０に進み、充電が完了していなければステップＳ１１６に進む．
ステップＳ１１０：ポートＰ１をハイレベルとする。これによりＬＥＤ７が点灯し充電が完了していることを撮影者が知ることができる。
【００４７】
ステップＳ１１１：カメラからメインコンデンサ１３の充電状態を表す信号即ち充電状態信号の要求があるか否かを判断し、要求があればステップＳ１１２に進み、要求が無ければステップＳ１１１に戻る。
【００４８】
ステップＳ１１２：充電完了信号をカメラに送信し、ステップＳ１０２に戻る。
【００４９】
ステップＳ１１３：カメラにレンズの焦点距離を要求する。
【００５０】
ステップＳ１１４：カメラからのレンズの焦点距離（ｆｍｍ）を受信し、その結果を記憶する。
【００５１】
ステップＳ１１５：照射角制御部９により照射角を制御可能な最広角２４ｍｍレンズの画角カバーに制御する。
【００５２】
ステップＳ１１６：ポートＰ１をローレベルとする。
【００５３】
ステップＳ１１７：カメラからメインコンデンサ１３の充電状態を表す信号の要求があるか否かを判断し、要求があればステップＳ１１８に進み、要求が無ければステップＳ１１７に戻る。
【００５４】
ステップＳ１１８：充電未完了信号を送信し、ステップＳ１０２に戻る。
【００５５】
次に図４を用いてカメラの動作を説明する。
【００５６】
ステップＳ２０１：不図示の電源スイッチをオンし、マイコン３０、モード設定部３１、測光部３２、絞り制御部３３、シャッタ制御部３４、表示部３５及びレンズ３６の給電が開始され、マイコン３０は初期化される。
【００５７】
ステップＳ２０２：モード設定部３１で撮影モードが設定され記憶される。なお、本実施形態においてはモードは測光部の測光結果に応じて絞りとシャッタスピードを自動的に決定する全自動モード、シャッタスピード優先モード、絞り優先モードの３種類が設定できる。
【００５８】
ステップＳ２０３：スイッチ３７がオンしているか否かを判断し、オンであればステップＳ２０４に進み、オフであればステップＳ２０３に戻る。
【００５９】
ステップＳ２０４：閃光装置から撮影モードの要求があるか否かを判断し要求があればステップＳ２０５に進み、無ければステップＳ２０４に戻る。
【００６０】
ステップＳ２０５：撮影モードを閃光装置に送信する。
【００６１】
ステップＳ２０６：閃光装置からレンズの焦点距離の要求があるか否かを判断し要求があればステップＳ２０７に進み、無ければステップＳ２０６に戻る。
【００６２】
ステップＳ２０７：レンズよりレンズの焦点距離ｆｍｍを受信し、それを閃光装置に送信する。
【００６３】
ステップＳ２０８：メインコンデンサ１３の充電状態を示す充電状態信号を閃光装置に要求する。
【００６４】
ステップＳ２０９：受信した充電状態信号を記憶する。
【００６５】
ステップＳ２１０：記憶した充電状態信号が充電完了信号か充電未完了信号かを判断し、充電完了信号であればステップＳ２１１に進み、充電未完了信号であればステップＳ２２０に進む。
【００６６】
ステップＳ２１１：測光部３２よりの測光結果より、全自動モードであれば閃光撮影に適した絞りとシャッタスピードを演算し、シャッタスピード優先モードであれば絞りを演算し、絞り優先モードであればシャッタスピードを演算し記憶する。
【００６７】
ステップＳ２１２：表示部３５にてシャッタスピード及び絞りを表示する。
【００６８】
ステップＳ２１３：スイッチ３８の状態を検出し、オンであればステップＳ２１４に進み、オフであればステップＳ２１３に戻る。
【００６９】
ステップＳ２１４：ステップＳ２１１で記憶された絞り、あるいは絞り優先モードにおいて設定された絞りを絞り制御部３３にて制御する。
【００７０】
ステップＳ２１５：ステップＳ２１１で記憶されたシャッタスピード、あるいはシャッタスピード優先モードにおいて設定されたシャッタスピードをシャッタ制御部３４にて制御しシャッタの開動作を行う。
【００７１】
ステップＳ２１６：シャッタが全開となった時にポートＰ３をハイレベルとする。このハイレベル信号は端子ＸＣＴ及び閃光装置の端子ＸＦＴを介してトリガ回路１０に伝達されトリガ回路１０が駆動され閃光放電管１１にトリガ電圧が印加される。
【００７２】
ステップＳ２１７：調光回路３９が駆動され、出力がハイレベルとなる。このハイレベルは端子ＴＣＴ及び閃光装置の端子ＴＦＴを介して放電電流制御回路１２に与えられ放電電流制御回路１２はオンとなる。ステップＳ２１６とステップＳ２１７はほぼ同時に実行されるので閃光放電管１１は発光を開始する。閃光発光の被写体からの反射光を調光回路３９で測光し、反射光が所定値に達すると出力をローレベルとする。このローレベルは放電電流制御回路に伝達されるので発光は停止する。
【００７３】
ステップＳ２１８：シャッタ開動作から記憶されたシャッタ秒時（シャッタスピード優先モードでは設定秒時）の後、シャッタ制御部３４によりシャッタが閉じられる。
【００７４】
ステップＳ２１９：一連の動作を終了する。
【００７５】
ステップＳ２２０：測光部３２よりの測光結果より、全自動モードであれば絞りとシャッタスピードを演算し、シャッタスピード優先モードであれば絞りを演算し、絞り優先モードであればシャッタスピードを演算し記憶する。
【００７６】
ステップＳ２２１：表示部３５にてシャッタスピード及び絞りを表示する。
【００７７】
ステップＳ２２２：スイッチ３８の状態を検出しオンであればステップＳ２２３に進み、オフであればステップＳ２２２に戻る。
【００７８】
ステップＳ２２３：前記ステップＳ２１１で記憶された絞り、あるいは絞り優先モードにおいて設定された絞りを絞り制御部３３にて制御する。
【００７９】
ステップＳ２２４：ステップＳ２１１で記憶されたシャッタスピード、あるいはシャッタスピード優先モードにおいて設定されたシャッタスピードをシャッタ制御部３４にて制御しシャッタの開動作を行う。
【００８０】
ステップＳ２２５：シャッタ開動作から記憶されたシャッタ秒時（シャッタスピード優先モードでは設定秒時）の後、シャッタ制御部によりシャッタが閉じられる。
【００８１】
ステップＳ２２６：一連の動作を終了する。
【００８２】
上記の一連の動作からも明確なように、全自動モードを選択している場合は発光部が下向きにされたとき、照射角は所定の広角側に制御される。この場合ガイドナンバが低下し遠距離での撮影範囲は短くなるが、近接撮影なので一般的にはガイドナンバの低下は問題とはならない。従って近接撮影を撮影者が行う際に照射むらを気にしなくて良く、全自動モードに適している。
【００８３】
さらに、撮影モードが全自動モードのとき以外は発光部が下向きにされても照射角は変わらない。即ち撮影者が自分の意志で絞りあるいはシャッタ秒時を選んだ場合は照射角はレンズの焦点距離に従う。このようにした方が発光部の照射角は狭くなり最至近距離は遠くなるがガイドナンバは大きいので遠距離での撮影範囲は広くなりまた絞りの自由度も増すので全自動以外のモードに適している。
【００８４】
また、図３のステップＳ１０４で全自動とそれ以外のモードを判別しているが、カメラが接写モードとそれ以外のモードを有している場合はステップＳ１０４で全自動に替えて接写モードとしても良い。ここで接写モードとはカメラが接写に適した絞りとシャッタスピードを自動的に演算するモードである。
【００８５】
また、さらにステップＳ１０４において全自動と接写モードのときはステップＳ１０５に進みそれ以外のモードの時はステップＳ１１３に進むように構成してもよい。
【００８６】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００８７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００８８】
本発明を上記記憶媒体に適用する場合、その記憶媒体には、先に説明したフローチャートに対応するプログラムコードが格納されることになる。
【００８９】
以上説明したように、上記の実施形態によれば、接写撮影等の近接撮影を行う際、発光部の光軸を撮影光軸に向けることが可能な閃光装置において、発光部の光軸を撮影光軸に向けた時に、レンズの焦点距離にかかわらず発光部の照射角を所定の広角側に自動的にシフトするので照射角が広くなり照射むらの無い撮影が近距離まで行える。
【００９０】
また、全自動モードを選択し、発光部の光軸を撮影光軸に向けた際、レンズの焦点距離にかかわらず所定の広角側に自動的にシフトするので照射角が広くなり照射むらの無い撮影が近距離まで行える。
【００９１】
また、接写モードを選択し、発光部の光軸を撮影光軸に向けた際、レンズの焦点距離にかかわらず所定の広角側に自動的にシフトするので照射角が広くなり照射むらの無い撮影が近距離まで行える。
【００９２】
また、全自動モードあるいは接写モードを選択し、発光部の光軸を撮影光軸に向けた際、レンズの焦点距離にかかわらず所定の広角側に自動的にシフトするので照射角が広くなり照射むらの無い撮影が近距離まで行える。
【図面の簡単な説明】
【００９３】
【図１】本発明の一実施形態におけるカメラ及び閃光装置の回路図である。
【図２Ａ】通常撮影位置に発光光軸がある時の閃光装置の断面図である。
【図２Ｂ】発光光軸が下向きの時の閃光装置の断面図である。
【図３】閃光装置の動作を示すフローチャートである。
【図４】カメラの動作を示すフローチャートである。
【符号の説明】
【００９４】
１  電源電池
５  マイコン
８  下向き検出スイッチ
９  照射角制御部
１１  閃光放電管
１３  メインコンデンサ
３０  マイコン
３１  モード設定部
３６  レンズ
３９  調光回路
１００  発光部
１０１  フレネルレンズ
１０２  反射笠
【図１】
2005234013.tif 000003
【図２Ａ】
2005234013.tif 000004
【図２Ｂ】
2005234013.tif 000005
【図３】
2005234013.tif 000006
【図４】
2005234013.tif 000007